(57)【要約】  本発明は、テントフレームに関するものである。本発明の一面によるテントフレームは、内部の上面から底がオープンである円筒が下向きに延長して形成された中空型ボディーと、前記底がオープンである円筒に軸結合されて滑走し、外面部にはラック部が形成された円柱スライダーと、前記ボディーに一端が結合され、他端は前記円柱スライダーに結合されて前記円柱スライダーに昇降力を提供する第１の伸縮手段と、前記ボディーに回転可能に結合されて回転し、先端部には、前記円柱スライダーのラック部に嵌合するピニオン部が形成されたメーンポールとを含んでなる。本発明によれば、より簡単な構成によりテントフレームを容易かつ迅速に折り畳み及び展開することができ、フレームの広げられた状態を簡単に固定することが可能である。
2008516114.tif 000002
【特許請求の範囲】
【請求項１】
内部の上面から底がオープンである円筒が下向きに延長して形成された中空型ボディーと、
前記底がオープンである円筒に軸結合されて滑走し、外面部にはラック部が形成された円柱スライダーと、
それぞれの一端が前記ボディーに結合され、他端は前記円柱スライダーに結合されて前記円柱スライダーに昇降力を提供する第１の伸縮手段と、
前記ボディーに回転可能に結合されて回転し、先端部には、前記円柱スライダーのラック部に嵌合するピニオン部が形成されたメーンポールとを含んでなるテントフレーム。
【請求項２】
前記円柱スライダーは、
外柱部にラック部が形成された外円柱と、
前記外円柱の中心と同心を有し、前記外円柱の内側に形成される内円柱とからなり、
前記底がオープンである円筒が前記外円柱と内円柱との間に介在される請求項１に記載のテントフレーム。
【請求項３】
前記第１の伸縮手段は、
前記内円柱の内側に形成される引張スプリングと、
前記内円柱と底がオープンである円筒との間に介在される圧縮スプリングとからなる請求項２に記載のテントフレーム。
【請求項４】
前記ボディーに、前記円柱スライダーの滑走した状態を固定または解除するスイッチが形成されている請求項１に記載のテントフレーム。
【請求項５】
後端部が軸線上で偏心した第１の補助ポールと、
先端部は、軸線上で偏心し、後端部は、着脱用のフック部が形成された第２の補助ポールと、
前記第１の補助ポールの先端部と前記メーンポールの後端部を回転可能に結合し、前記第１の補助ポールとメーンポールの逆回転を防止するストッパが形成された第１の折り畳み部と、
前記第２の補助ポールの先端部と第１の補助ポールの後端部をヒンジ結合する第２の折り畳み部と、
前記第１の補助ポールと第２の補助ポールにそれぞれ両端が結合されて伸縮する第２の伸縮手段とをさらに含む請求項１に記載のテントフレーム。
【請求項６】
前記第１の補助ポールの後端部には凹部が引込まれ、前記第２の補助ポールの先端部には前記凹部に嵌め込まれる凸部が突出している請求項５に記載のテントフレーム。
【請求項７】
前記第２の伸縮手段が引張スプリングとして備えられている請求項５に記載のテントフレーム。
【発明の詳細な説明】
【技術分野】
【０００１】
本発明は、テントフレームに関し、より詳細には、ポール(pole)をより簡単に広げることができるとともに、その広げられた状態を正確かつ容易に固定することができるため、展開及び折り畳みが迅速かつ簡単であるテントフレームに関する。
【背景技術】
【０００２】
一般に、テント(tent)は、解体、運搬及び組み立てが可能な移動式家屋であって、山登りや釣りまたはピクニックのような野外活動に使用されている。テントはその形により、Ａ形、ドーム形またはトンネル形に分けられ、折り畳んだり展開する方式によっては、キャノピー型テントと傘型テントとに分けられる。
【０００３】
キャノピー(canopy)型テントは、折り畳み式テントとも呼ばれ、基本骨組みであるフレームを手動で折り畳んだり展開するテントである。キャノピーテントは、所定の時間一時的に休息を取るための簡易遮陽幕としても使われている。
【０００４】
傘式テントは、傘を開閉する動作と同様の方法で畳んだり開いたりすることができるテントで、フレームが傘の形に広がる。近年の自動式テントは、傘形テントが一般的である。
【０００５】
テントフレームは、テントの形態を保持すると同時に、外力からテントを支持するためのものである。その展開される形によってテントの全体的な外形を定義することができる。
【発明の開示】
【発明が解決しようとする課題】
【０００６】
テントフレームの様々な実施形態が先行技術として既に開示されている。
【０００７】
例えば、登録実用新案第275325号には、数個の支柱とリンクロッドを関節形態で容易に折り畳み及び展開できるようにしたテントまたは天幕の折り畳み式のフレームが開示されている。
【０００８】
しかし、前記登録実用新案第275325号に開示されているものは、フレームを広げたときのテントの外観が綺麗である反面、構成が複雑過ぎて故障が発生しやすく、組み立て及び解体に所定の水準以上の熟練した技術を要するという問題点がある。
【０００９】
このような従来のテントフレームが有する問題点を解決するため、本発明の出願人は、登録実用新案第331627号の折り畳み式の自動テントのフレームを出願した。
【００１０】
前記登録実用新案第331627号の一実施形態が図８乃至図９に示されている。
【００１１】
図８乃至図９に示すように、前記登録実用新案第331627号は、テントフレームの最上端に位置し、一定の位置で断面が増加するボディー２にスライダー３が滑走可能に軸結合され、前記スライダー３がボディー２を滑走することによってポール９ｃ、９ｄが展開することを特徴としている。
【００１２】
しかし、このとき、ポール９ｃ、９ｄが展開した後では、ポールの先端部の特定の地点に応力が集中するので、展開されたポールが破損されやすいという問題点があった。また、ポールを展開するために、スライダー３を上向きに多少強く押さなければならないので、展開があまり容易ではない。
【００１３】
図９に示すように、前記登録実用新案第331627号においては、ポール内部にスプリングまたは伸縮紐などの伸縮手段８が備えられる。前記伸縮手段８の両端は、それぞれのポール９ａ、９ｂの両端に固定されて伸縮することにより、ポール９ａ、９ｂが展開したときその展開状態を固定するために使用される。
【００１４】
さらに、各ポール９ａ、９ｂは、ねじりヘリカルスプリング７から回転力を受けるが、これはポールを広げるとき、スプリング７の弾性によってより容易に展開できるようにするためである。
【００１５】
しかし、前記登録実用新案第331627号によれば、ねじりスプリングのポールの取り付けが難しい。また、伸縮手段を採用する場合、別の費用がかかり、前記伸縮手段は、反復的に伸縮することによって伸縮力が低下する可能性がある。なお、伸縮手段の破損時には全ポールを分解し、新しい伸縮手段に取り替らなければならないという不便がある。
【課題を解決するための手段】
【００１６】
そこで、本発明は、前記従来の問題点に鑑みてなされたものであって、本発明の目的は、より簡単な構成によって容易かつ迅速に折り畳み及び展開することができ、ポールを広げた状態を容易に固定することができるテントフレームを提供することである。
【００１７】
本発明の目的は、前記目的に限られない。言及されていない本発明の他の目的は、以下の説明で明らかになるとともにこれもまた本発明の目的である。
【００１８】
前記課題を解決するための本発明によるテントフレームは、内部の上面から底がオープンである円筒が下向きに延長して形成された中空型ボディーと、前記底がオープンである円筒に軸結合されて滑走し、外面部にはラック部が形成された円柱スライダーと、前記ボディーに一端が結合され、他端は前記円柱スライダーに結合されて、前記円柱スライダーに昇降力を提供する第１の伸縮手段と、前記ボディーに回転可能に結合されて回転し、先端部には前記円柱スライダーのラック部に嵌合するピニオン部が形成されたメーンポールとを含んでなる。
【００１９】
好ましくは、前記円柱スライダーは、外柱部にラック部が形成された外円柱と、前記外円柱の中心と同心を有し、前記外円柱の内側に形成される内円柱とからなり、前記底がオープンである円筒が前記外円柱と内円柱との間に介在されていてもよい。
【００２０】
好ましくは、前記第１の伸縮手段は、前記内円柱の内側に形成される引張スプリングと、前記内円柱と底がオープンである円筒との間に介在される圧縮スプリングとからなる。
【００２１】
好ましくは、前記ボディーに前記円柱スライダーの滑走した状態を固定または解除するスイッチをさらに備える。
【００２２】
好ましくは、本発明によるテントフレームは、後端部が軸線上で偏心した第１の補助ポールと、前記第１の補助ポールの先端部と前記メーンポールの後端部を回転可能に結合し、前記第１の補助ポールとメーンポールの逆回転を防止するストッパが形成された第１の折り畳み部と、先端部は、軸線上で偏心し、後端部は着脱用のフック部が形成された第２の補助ポールと、前記第２の補助ポールの先端部と第１の補助ポールの後端部をヒンジ結合する第２の折り畳み部と、前記第１の補助ポールと第２の補助ポールにそれぞれ両端が結合されて伸縮する第２の伸縮手段とをさらに含む。
【００２３】
好ましくは、前記第１の補助ポールの後端部には凹部が引込まれ、前記第２の補助ポールの先端部には前記凹部に嵌め込まれる凸部が突出している。
【００２４】
好ましくは、前記第２の伸縮手段が引張スプリングを備えている。
【００２５】
本発明の目的、特徴及びその他の効果は、添付図面を参照することによって理解することができる。
【発明を実施するための最良の形態】
【００２６】
以下、添付した図面を参照して本発明の好ましい実施例を詳細に説明する。しかしながら、本発明は、多様な形態で実現することができ、ここで説明する実施形態に限定されない。なお、全図において、同一機能を有するものは同一符号を付け、本発明を構成する各部を指す用語は、本発明で定義した用語であって、これは本発明が属する技術分野で通常の知識を有する者の意図や慣例などによって変わる。
【００２７】
さらに、本発明を説明するにおいて、関連する周知技術などが本発明の要旨の説明に不要な場合、その説明は省略する。
【００２８】
図１は、本発明によるテントフレームの斜視図である。図２は、本発明によるテントフレームの各部を示す部分断面図である。
【００２９】
図１及び図２に示すように、本発明は、ボディー１０とメーンポール(main pole)３０とを含んでなり、さらに、第１、第２の補助ポール５０、７０及び第１、第２の折り畳み部４０、６０をさらに含むんでもよい。
【００３０】
図３は、本発明によるテントに含まれるボディー１０を示す部分拡大図である。図４は、本発明の底がオープンである円筒と円柱スライダーの結合関係を示す部分分解斜視図である。
【００３１】
内部が空いているボディー１０は、上部ケース１１と、上部ケース１１と対称形である下部ケース１２を互いに結合してなる。好ましくは、残りの部分に比べて中央が厚い円盤形に形成されることが好ましい。ボディー１０の四方には、ボディー１０とメーンポール３０が結合されるときメーンポール３０の挿入を案内する案内溝(図示せず)が形成されている。
【００３２】
ボディー１０の内側には、底がオープンである円筒１１ａが形成されている。底がオープンである円筒１１ａは、断面が一定の円柱形状をなし、下部が開放されている。このような底がオープンである円筒１１ａは別に製造して上部ケース１１に結合してもよい。好ましくは、底がオープンである円筒１１ａは、ボディー１０をなす上部ケース１１の内部上面から下向きに延長して形成される。底がオープンである円筒１１ａの高さは、ボディー１０の最大高さの半分以上に形成され、好ましくは、おおよそボディー１０の高さの1/2乃至2/3の範囲である。
【００３３】
円柱スライダー２０は、底がオープンである円筒１１ａに軸結合する。円柱スライダー２０は、前記底がオープンである円筒１１ａのように、上部が開放された円筒形状をなす。ただし、円柱スライダー２０は、図３に示すように、外円柱２１と内円柱２２とが形成されて二重円柱を有する。内円柱２２は外円柱２１に挿入され、相互間のその断面中心が一致している。
【００３４】
外円柱２１と内円柱２２の高さは、ボディー１０の高さの半分以上に形成され、より好ましくは、おおよそボディー１０の高さの1/2乃至2/3の範囲である。このような構造は、円柱スライダー２０と底がオープンである円筒１１ａが互いに軸結合した後、円柱スライダー２０が底がオープンである円筒１１ａから離脱しないようにするためである。
【００３５】
なお、外円柱２１の外面にはラック部(rack部)２９が形成されている。ラック(rack)は、ピニオン(pinion)と共に一つの歯車対をなすものであって、無限大(∞)の直径を有する歯車(gear)である。通常、ラックは、回転運動を直線運動に切り替えるため、もしくはその反対の場合のために、ピニオンと共に使用される。
【００３６】
円柱スライダー２０の底面には引き留めロッド２０ａが突出している。好ましくは、引き留めロッド２０ａは、円柱スライダー２０の底面から下向きに延長して形成される。そして、引き留めロッド２０ａは、下端部が半球状をなし、前記引き留めロッド２０ａの側面の一部に弾性突起２０ｂが形成されている。
【００３７】
下部ケース１２の底部には、引き留めロッド２０ａが嵌め込まれる摩擦孔１２ａが形成されている。摩擦孔１２ａの内柱面の側面には、前記弾性突起２０ｂが嵌め込まれる凹溝１２ｂが横方向に形成されている。
【００３８】
そして、下部ケース１２の底部は、スイッチ１３の底部に形成される。前記スイッチ１３は、円柱スライダー２０が下向きに最大に滑走したとき、その滑走した状態を固定または解除する役割をする。
【００３９】
前記スイッチ１３は、押す動作によって動作する押しボタンを備えてもよい。
【００４０】
円柱スライダー２０の内部には、前記円柱スライダー２０に昇降力を提供する第１の伸縮手段が形成されている。好ましくは、前記第１の伸縮手段としては、図示するように、それぞれ内円柱２２の内部に引張スプリング９１が備えられ、外円柱２１と底がオープンである円筒１１ａの間に圧縮スプリング９２が介在される。引張スプリング９１には、スライダー２０に対する引張荷重が加えられ、圧縮スプリング９２には、底がオープンである円筒１１ａとスライダー２０に対する圧縮荷重が加えられる。
【００４１】
メーンポール３０は、その先端部がボディー１０に回転可能に結合され、ボディー１０を中心に放射状に広がる。ここで、メーンポール３０とボディー１０との結合において、その結合されるメーンポール３０の先端部には、前記ラック部２９に嵌合するピニオン部３１が形成されている。
【００４２】
前記ラック部２９とピニオン部３１は、平歯車対(spur gear)またはヘリカル歯車対(helical gear)からなってもよい。
【００４３】
図５及び図６は全て拡大断面図であって、それぞれ本発明によるテントの第１の折り畳み部４０と第２の折り畳み部６０を示す部分拡大断面図である。
【００４４】
メーンポール３０の他端部は、第１の折り畳み部４０にヒンジ結合され、逆に、第１の補助ポール５０の先端部は、前記第１の折り畳み部４０に回転可能にヒンジ結合される。すなわち、第１の折り畳み部４０にメーンポール３０と第１の補助ポール５０が回転可能に結合されている。
【００４５】
第１の折り畳み部４０には、メーンポール３０と第１の補助ポール５０の逆回転を防止するストッパ４１を形成してもよい。好ましくは、前記ストッパ４１は、図５に示すように、その断面がＶ字状をなす。
【００４６】
第１の補助ポール５０の他端部は、第２の折り畳み部６０に回転可能にヒンジ結合される。そして、第１の補助ポール５０の他端部は、ディスク(disk)形状をなし、その中心は、前記第２の折り畳み部６０の軸線上で所定の距離離隔している。すなわち、第１の補助ポール５０の他端部は断面が円形をなし、その中心は、前記第２の折り畳み部６０の軸線上で偏心し、その偏心した他端部のすぐ下には端部が形成され、該端部には第１の引き留め溝５１を有する第１の引き留め部が延長して形成されている。
【００４７】
第１の補助ポール５０のディスク形状の他端部には、その外注面に沿って凹部５２が形成されている。
【００４８】
第２の補助ポール７０の先端部は、前記第１の補助ポール５０の後端部と同様または類似の円形ディスク形状をなし、該後端部の中心は、前記第２の補助ポール７０の軸線上で所定の距離偏心する。これと同様に、第２の補助ポール７０の後端部のすぐ下には端部が形成され、この端部には第２の引き留め部が延長して形成されている。第２の引き留め部には第２の引き留め溝が形成され、第２の補助ポール７０の先端部には、前記凹部に嵌め込まれる凸部が突出している。
【００４９】
上述のように、第１の補助ポール５０の後端部と第２の補助ポール７０の先端部は、第２の折り畳み部６０にヒンジ結合される。ここで、第２の補助ポール７０が第２の折り畳み部６０にヒンジ結合されるが、その軸方向に所定の距離離隔可能なように結合される。すなわち、第２の補助ポール７０は、第２の折り畳み部６０にヒンジ結合されているが、軸方向に所定の距離移動することができる。これは、凸部７２と凹部５２の嵌め込み結合のためのものである。
【００５０】
そして、それぞれ第１及び第２の引き留め溝は、第２の伸縮手段として連結される。第２の伸縮手段は、好ましくは、引張力が加えられる引張スプリング９３として備えられる。
【００５１】
図７は、本発明の第２の補助ポール７０の後端部を示す部分拡大断面図である。
【００５２】
一般的に、テントは、地面に固定されるアンカー(anchor)などによって結合される。従って、第２の補助ポール７０の後端部には、アンカーに結合するための掛け部が形成される。好ましくは、前記掛け部は、前記アンカーからの着脱を容易にするためにフック(hook)７１形状をなしている。
【００５３】
以下、上記の構成を有する本発明の使用例を具体的に説明する。
【００５４】
本発明は、例えば保管時、３段に折り畳むことができるので全体の長さが減少し、保管が容易である。このように、テントを折り畳む過程で、ボディー１０に形成された圧縮スプリング９２は圧縮し、第２の折り畳み部６０に位置する引張スプリング９３は引張してそれぞれ弾性エネルギーを含む。
【００５５】
使用時には、まずメーンポール３０を先に展開するようになる。このために、メーンポール３０は、上向きに回転しながら圧縮スプリング９２が弾性力を受け、円柱スライダー２０を下向きに滑走するようにする。前記メーンポール３０が所定の角度だけ回転する場合、引き留めロッド２０ａが摩擦孔１２ｂに嵌め込まれるようになり、弾性突起２０ｂが凹溝１２ｂに嵌め込まれるようになり、これによりメーンポール３０の広げられた状態が堅固に保持される。
【００５６】
第２には、第２の補助ポール７０は、下向きに回転しながら第２の補助ポール７０が伸縮手段９３の弾力性を利用することによって、第２の折り畳み部６０の方向に弾力的に広がる。このようにして、第２の補助ポール７０は、収縮手段９３の復原力の作用により、過度な力を入れなくても簡単に広げることができる。
【００５７】
前記メーンポール３０を簡単に広げることができる理由は、以下のとおりである。
【００５８】
第２の補助ポール７０を広げた後、第１の補助ポール５０は、回転しながら収縮手段９３の復原力を受けることによって第２の折り畳み部６０の方向に広がるようになる。ここで、第１の補助ポール５０の回転方向は、ストッパ部４１の手段により制御される。第２の補助ポール７０と第１の補助ポール５０を完全に広げた後、第２の補助ポール７０の凸部７２は、第１の補助ポール５０の凹部５２に嵌め込まれるようになり、互いに堅固に結合される。
【００５９】
テントフレームの分解は、上記の過程と反対である。すなわち、収縮スプリング９３の弾性力を克服するのに十分な程度の小さな力を利用して、凸部７２を凹部５２から分離すると同時に、まず第２の補助ポール７０を折り畳むようになる。
【００６０】
メーンポール３０を折り畳むために、ボディー１０は固定され、スイッチ１３は前記ボディー１０の底部に形成され、前記弾性突起２０ｂを凹溝１２ｂから分離するため摩擦孔１２ａに嵌め込まれた引き留めロッド２０ａを押しながら圧力を与えるようになる。その結果、円柱スライダー２０は、下部ケース１２から離脱し、引張スプリング９１の復原力を利用して上向き移動するようになる。この場合、円柱スライダー２０の直線運動は、ラック部２９に嵌合したピニオン部３１の回転運動に切り替えられるので、メーンポール３０が広がる。
【００６１】
メーンポール３０と第１の補助ポール５０、ならびに第２の補助ポール７０の展開及び折り畳みの過程は、この例に限定されるものではなく、ユーザーの便宜によって変更することが可能である。
【産業上の利用可能性】
【００６２】
本発明によれば、より簡単な構成によりテントフレームを容易かつ迅速に折り畳み及び展開することができる。また、テントフレームの展開状態を簡単に固定することができる。
【００６３】
尚、本発明は、上述の実施例に限られるものではない。本発明の技術的範囲から逸脱しない範囲内で多様に変更実施することが可能である。
【図面の簡単な説明】
【００６４】
【図１】本発明の斜視図。
【図２】本発明の各部を示す部分断面図。
【図３】本発明のボディを示す部分拡大断面図。
【図４】本発明の底がオープンである円筒と円柱スライダーの結合関係を示す部分分解斜視図。
【図５】本発明の第１の折り畳み部を示す部分拡大断面図。
【図６】本発明の第２の折り畳み部を示す部分断面図。
【図７】本発明の第２の補助ポールの後端部を示す部分断面図。
【図８】従来のテントフレームを示す部分断面図。
【図９】従来のテントフレームを示す部分断面図。
【図１】
2008516114.tif 000003
【図２】
2008516114.tif 000004
【図３】
2008516114.tif 000005
【図４】
2008516114.tif 000006
【図５】
2008516114.tif 000007
【図６】
2008516114.tif 000008
【図７】
2008516114.tif 000009
【図８】
2008516114.tif 000010
【図９】
2008516114.tif 000011
【国際調査報告】
2008516114.tif 000012
2008516114.tif 000013
2008516114.tif 000014